【手続補正書】
【提出日】平成16年5月28日(2004.5.28)
【手続補正１】
【補正対象書類名】明細書
【補正対象項目名】発明の名称
【補正方法】変更
【補正の内容】
【発明の名称】画像形成装置、画像形成方法、及び記憶媒体
【手続補正２】
【補正対象書類名】明細書
【補正対象項目名】特許請求の範囲
【補正方法】変更
【補正の内容】
【特許請求の範囲】
【請求項１】
コピー機能、ファクシミリ機能、プリンタ機能等の複数の機能と１つの表示部を有し、前記表示部には実行中の機能に係る表示内容を表示し、コンピュータに接続された画像形成装置において、
前記コンピュータから受信したメッセージデータを解析する解析手段と、
前記解析手段による解析結果に基づいて解析に係るメッセージデータを前記表示部に表示させる表示制御手段とを備え、
前記表示制御手段は前記解析手段による解析により指定された前記表示部の所定の表示エリアに前記メッセージデータを表示させることを特徴とする画像形成装置。
【請求項２】
前記表示部は各機能毎に表示内容の異なる表示画面を有し、
前記表示制御手段は、前記解析手段による解析により判明した指定に係る機能に応じて該機能のための表示画面中に前記メッセージデータを表示させることを特徴とする請求項１記載の画像形成装置。
【請求項３】
前記表示制御手段は、前記解析手段による解析により前記メッセージデータを前記表示部の一部の表示エリアに表示するように指定されていることが判明した場合は、前記表示部の一部の表示エリアに何も表示されていないことを確認して前記メッセージデータを該所定の表示エリアに表示させることを特徴とする請求項１記載の画像形成装置。
【請求項４】
前記表示制御手段は、前記解析手段による解析により前記メッセージデータを前記表示部の表示エリア全体に表示するように指定されていることが判明した場合は、前記表示部の表示エリア全体に前記メッセージデータを表示させることを特徴とする請求項１記載の画像形成装置。
【請求項５】
前記表示制御手段は、前記解析手段による解析により更に前記メッセージデータを表示する際の表示インターバルが指定されていることが判明した場合は、指定に係る表示インターバルで指定に係る前記表示部の一部の表示エリア、または表示エリア全体に前記メッセージデータを表示させることを特徴とする請求項１記載の画像形成装置。
【請求項６】
前記表示制御手段は、前記画像形成装置の操作部の所定の操作により前記表示部の一部の表示エリア、または表示エリア全体に表示中の前記メッセージデータを消去させることを特徴とする請求項１記載の画像形成装置。
【請求項７】
前記表示制御手段は、前記画像形成装置の操作部の所定の操作により前記表示部の一部の表示エリア、または表示エリア全体に表示中の前記メッセージデータを消去させると共に、前記解析手段により解析された前記表示インターバルで再表示させることを特徴とする請求項１記載の画像形成装置。
【請求項８】
前記表示制御手段は、前記前記解析手段による解析により前記メッセージデータの消去が禁止されていることが判明した場合は、前記画像形成装置の操作部の所定の操作により前記表示部の一部の表示エリア、または表示エリア全体に表示中の前記メッセージデータを消去するように指示された場合でも消去処理を実行しないことを特徴とする請求項１記載の画像形成装置。
【請求項９】
前記表示部は、液晶タッチパネルにより構成され、入力操作機能と表示機能とを兼備していることを特徴とする請求項１記載の画像形成装置。
【請求項１０】
コピー機能、ファクシミリ機能、プリンタ機能等の複数の機能と１つの表示部を有し、前記表示部には実行中の機能に係る表示内容を表示し、コンピュータに接続された画像形成装置において、
前記コンピュータから受信したメッセージデータを解析する解析工程と、
前記解析工程による解析結果に基づいて解析に係るメッセージデータを前記表示部に表示させる表示制御工程とを備え、
前記表示制御工程は前記解析工程による解析により指定された前記表示部の所定の表示エリアに前記メッセージデータを表示させることを特徴とする画像形成方法。
【請求項１１】
前記表示部は各機能毎に表示内容の異なる表示画面を有し、
前記表示制御工程は、前記解析工程による解析により判明した指定に係る機能に応じて該機能のための表示画面中に前記メッセージデータを表示させることを特徴とする請求項１０記載の画像形成方法。
【請求項１２】
前記表示制御工程は、前記解析工程による解析により前記メッセージデータを前記表示部の一部の表示エリアに表示するように指定されていることが判明した場合は、前記表示部の一部の表示エリアに何も表示されていないことを確認して前記メッセージデータを該所定の表示エリアに表示させることを特徴とする請求項１０記載の画像形成方法。
【請求項１３】
前記表示制御工程は、前記解析工程による解析により前記メッセージデータを前記表示部の表示エリア全体に表示するように指定されていることが判明した場合は、前記表示部の表示エリア全体に前記メッセージデータを表示させることを特徴とする請求項１０記載の画像形成方法。
【請求項１４】
前記表示制御工程は、前記解析工程による解析により更に前記メッセージデータを表示する際の表示インターバルが指定されていることが判明した場合は、指定に係る表示インターバルで指定に係る前記表示部の一部の表示エリア、または表示エリア全体に前記メッセージデータを表示させることを特徴とする請求項１０記載の画像形成方法。
【請求項１５】
前記表示制御工程は、前記画像形成装置の操作部の所定の操作により前記表示部の一部の表示エリア、または表示エリア全体に表示中の前記メッセージデータを消去させることを特徴とする請求項１０記載の画像形成方法。
【請求項１６】
前記表示制御工程は、前記画像形成装置の操作部の所定の操作により前記表示部の一部の表示エリア、または表示エリア全体に表示中の前記メッセージデータを消去させると共に、前記解析工程により解析された前記表示インターバルで再表示させることを特徴とする請求項１０記載の画像形成方法。
【請求項１７】
前記表示制御工程は、前記前記解析工程による解析により前記メッセージデータの消去が禁止されていることが判明した場合は、前記画像形成装置の操作部の所定の操作により前記表示部の一部の表示エリア、または表示エリア全体に表示中の前記メッセージデータを消去するように指示された場合でも消去処理を実行しないことを特徴とする請求項１０記載の画像形成方法。
【請求項１８】
前記表示部は、液晶タッチパネルにより構成され、入力操作機能と表示機能とを兼備していることを特徴とする請求項１０記載の画像形成方法。
【請求項１９】
コピー機能、ファクシミリ機能、プリンタ機能等の複数の機能と１つの表示部を有し、前記表示部には実行中の機能に係る表示内容を表示し、コンピュータに接続された画像形成装置により実行される制御プログラムを記憶した記憶媒体であって、前記制御プログラムは、
前記コンピュータから受信したメッセージデータを解析する解析ルーチンと、
前記解析ルーチンによる解析結果に基づいて解析に係るメッセージデータを前記表示部に表示させる表示制御ルーチンとを備え、
前記表示制御ルーチンは前記解析ルーチンによる解析により指定された前記表示部の所定の表示エリアに前記メッセージデータを表示させることを特徴とする記憶媒体。
【手続補正３】
【補正対象書類名】明細書
【補正対象項目名】０００７
【補正方法】変更
【補正の内容】
【０００７】
【課題を解決するための手段】
上記課題を解決するため、本発明は、コピー機能、ファクシミリ機能、プリンタ機能等の複数の機能と１つの表示部を有し、前記表示部には実行中の機能に係る表示内容を表示し、コンピュータに接続された画像形成装置において、前記コンピュータから受信したメッセージデータを解析する解析手段と、前記解析手段による解析結果に基づいて解析に係るメッセージデータを前記表示部に表示させる表示制御手段とを備え、前記表示制御手段は前記解析手段による解析により指定された前記表示部の所定の表示エリアに前記メッセージデータを表示させるように構成されている。
【手続補正４】
【補正対象書類名】明細書
【補正対象項目名】０００８
【補正方法】変更
【補正の内容】
【０００８】
また、本発明は、コピー機能、ファクシミリ機能、プリンタ機能等の複数の機能と１つの表示部を有し、前記表示部には実行中の機能に係る表示内容を表示し、コンピュータに接続された画像形成装置において、前記コンピュータから受信したメッセージデータを解析する解析工程と、前記解析工程による解析結果に基づいて解析に係るメッセージデータを前記表示部に表示させる表示制御工程とを備え、前記表示制御工程は前記解析工程による解析により指定された前記表示部の所定の表示エリアに前記メッセージデータを表示させるように構成されている。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、本発明は、コピー機能、ファクシミリ機能、プリンタ機能等の複数の機能と１つの表示部を有し、前記表示部には実行中の機能に係る表示内容を表示し、コンピュータに接続された画像形成装置により実行される制御プログラムを記憶した記憶媒体であって、前記制御プログラムは、前記コンピュータから受信したメッセージデータを解析する解析ルーチンと、前記解析ルーチンによる解析結果に基づいて解析に係るメッセージデータを前記表示部に表示させる表示制御ルーチンとを備え、前記表示制御ルーチンは前記解析ルーチンによる解析により指定された前記表示部の所定の表示エリアに前記メッセージデータを表示させるように構成されている。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、本発明では、前記表示制御手段・工程・ルーチンは、前記解析手段・工程・ルーチンによる解析により前記メッセージデータを前記表示部の一部の表示エリアに表示するように指定されていることが判明した場合は、前記表示部の一部の表示エリアに何も表示されていないことを確認して前記メッセージデータを該所定の表示エリアに表示させている。
【手続補正９】
【補正対象書類名】明細書
【補正対象項目名】００１５
【補正方法】変更
【補正の内容】
【００１５】
また、本発明では、前記表示制御手段・工程・ルーチンは、前記解析手段・工程・ルーチンによる解析により更に前記メッセージデータを表示する際の表示インターバルが指定されていることが判明した場合は、指定に係る表示インターバルで指定に係る前記表示部の一部の表示エリア、または表示エリア全体に前記メッセージデータを表示させている。
【手続補正１０】
【補正対象書類名】明細書
【補正対象項目名】００７３
【補正方法】変更
【補正の内容】
【００７３】
【発明の効果】
以上説明したように、本発明によれば、コピー機能、ファクシミリ機能、プリンタ機能等の複数の機能と１つの表示部を有し、前記表示部には実行中の機能に係る表示内容を表示し、コンピュータに接続された画像形成装置において、前記コンピュータから受信したメッセージデータを解析する解析手段と、前記解析手段による解析結果に基づいて解析に係るメッセージデータを前記表示部に表示させる表示制御手段とを備え、前記表示制御手段は前記解析手段による解析により指定された前記表示部の所定の表示エリアに前記メッセージデータを表示させるように構成したので、故障やメンテナンス告知等のメッセージをユーザに簡単、確実、迅速に伝達することが可能となる。